(57)【要約】      （修正有）【課題】分解組立、携帯及び保管が容易なストーブ兼用ロースターを提供する。【解決手段】ストーブ兼用ロースター１は、上面及び後方壁が開口された形状に形成された油受けガイド１０と；上面が開口された箱形状に形成され、油受けガイドの内部に収納可能な油受けと；油受けガイドの側壁とヒンジで連結され、ケーシングの上面で一定の距離を置いて挿入ガイド部材３２、４２がそれぞれ形成された第１ガスバーナー３０、及び第２ガスバーナー４０と；上面に焼き網挿入孔が形成され、左右側面及び底面が開放された“コ”字状を有し、両側の前後縁部に挿入突起がそれぞれ形成された第１ガスバーナー及び第２ガスバーナーが回動して垂直方向に起立した状態で、挿入突起が挿入ガイド部材に挿入または分離される、熱源ガイド５０と；を含む。【選択図】図１
0003211084.tif 000002
【実用新案登録請求の範囲】
【請求項１】
上面及び後方壁が開口された形状に形成された油受けガイドと、
上面が開口された箱形状に形成され、前記油受けガイドの内部に収納可能に設けられた油受けと、
前記油受けガイドの一側壁とヒンジで連結され、ケーシングの上面で一定の距離を置いて挿入ガイド部材がそれぞれ形成された第１ガスバーナー、及び前記油受けガイドの他側壁とヒンジで連結され、ケーシングの上面で一定の距離を置いて挿入ガイド部材がそれぞれ形成された第２ガスバーナーと、
上面に焼き網挿入孔が形成され、左右側面及び底面が開放された“コ”字状を有し、両側の前後縁部に挿入突起がそれぞれ形成されて、前記第１ガスバーナー及び第２ガスバーナーが回動して垂直方向に起立した状態で、前記挿入突起が前記挿入ガイド部材に挿入または分離されることによって、前記第１ガスバーナー及び第２ガスバーナーを垂直状態に維持するか、または水平状態に展開させる熱源ガイドと、
底面が開放された形状に形成され、上面及び前方にそれぞれの開口が形成され、前記開口の外壁とヒンジで連結されて前記開口を開閉する第１ドア及び第２ドアが設置され、両側壁がヒンジにより内側に向かって折り畳み可能なように分割された形状に形成されたオーブンであって、前記オーブンは、その内部にグリルが設けられる、オーブンと、
一定の高さの四方外壁を有し、上面が開口され、下部に火気案内孔が形成されて、前記火気案内孔の端部の一部が前記焼き網挿入孔に挿入されるように形成されたオーブン支持部であって、前記オーブン支持部は、その上に前記オーブンが載置される、オーブン支持部と、を含むことを特徴とする、ストーブ兼用ロースター。
【考案の詳細な説明】
【技術分野】
【０００１】
本考案は、ストーブ兼用ロースターに関し、より詳細には、野外及び室内で使用者の簡単な操作によって暖房用ストーブ及び各種食物を調理するバーナーに変形させて使用できると共に、各種食物を焼くロースター及び各種食物を加熱できるオーブンの機能を行うことができるようにし、特に、分解組立を容易にして、携帯及び保管を容易にしたストーブ兼用ロースターに関する。
【背景技術】
【０００２】
大韓民国実用新案公報公開番号２０−２０１２−０００５０９８号（公開日：２０１２．０７．１２）（特許文献１）には、「ストーブ兼用ロースター」が開示されている。
【０００３】
前記従来のストーブ兼用ロースターは、本体の下部にキャスターを設置して移動及び運搬が容易であり、上部に肉類を焼くことができる焼き部が一体に備えられているため、焼き板を備える必要がなく、両側に折り畳み可能に棚が備えられることによって、使用上の便利さを図ることができる。
【０００４】
上記の課題を解消するための従来のストーブ兼用ロースターは、内部に収容空間を有し、前面には、燃料を入れる投入口、及び投入口に回動可能に設置されて投入口を開閉するドアが備えられ、投入された燃料を支持する受け台が設置され、内部と連通する排気孔からなる、本体と、本体の下側に設置され、前方に引き出し可能な炭保管部と、本体の上部に備えられた下向きに凹んだ焼き部及び前記焼き部の下部に連通して本体の外部に延びた油排出管と、本体の両側に分離又は折り畳み可能に設置される棚とで構成されている。
【０００５】
前記のようなストーブ兼用ロースターは、受け台に置かれた炭に火を付けると、その火力によって焼き部のグリルに載せた各種肉を焼くことができ、焼き部を蓋で覆うと、各種食物を蒸すなどの料理をすることができ、室内外の気温が下降すると、前記のような方法で燃料を投入して、本体をストーブとしても使用可能にしたものである。しかし、前記のようなストーブ兼用ロースターは、周知のストーブの開口に焼き部とグリルをさらに設置したものに過ぎず、特に、前記のような従来のストーブ兼用ロースターは、分解及び組立を目的として構成されたものではないため、その大きさと重量のため携帯及び保管が容易ではないだけでなく、ストーブ、ロースター又はオーブンに変形可能な別途の構成を有していないため、分離及び組立てて用途に合わせて変形して使用することができないという問題がある。
【先行技術文献】
【特許文献】
【０００６】
【特許文献１】大韓民国実用新案公報公開番号２０−２０１２−０００５０９８号（公開日：２０１２．０７．１２）
【考案の概要】
【考案が解決しようとする課題】
【０００７】
したがって、本考案は、上記のような従来の問題点を解決するために創案されたもので、野外及び室内で使用者の簡単な分解組立によって、第１ガスバーナー及び第２ガスバーナーを展開して垂直状態に起立させた状態では暖房用ストーブとして使用し、展開して水平状態にした状態では、各種食物を調理又は加熱することができるバーナーとして使用し、第１ガスバーナー及び第２ガスバーナーを起立させて熱源ガイドによって起立状態を維持させることによって、焼き網を垂直方向に入れて各種食物を焼くことができるロースターとして使用し、熱源ガイド上にオーブンを載置することによって、各種食物を焼く又は加熱するオーブンとして使用することができ、特に、分解組立を容易にして、携帯及び保管を容易にしたストーブ兼用ロースターを提供することにその目的がある。
【課題を解決するための手段】
【０００８】
上記目的は、本考案によって、上面及び後方壁が開口された形状に形成された油受けガイドと；上面が開口された箱形状に形成され、前記油受けガイドの内部に収納可能に設けられた油受けと；前記油受けガイドの一側壁とヒンジで連結され、ケーシングの上面で一定の距離を置いて挿入ガイド部材がそれぞれ形成された第１ガスバーナー、及び前記油受けガイドの他側壁とヒンジで連結され、ケーシングの上面で一定の距離を置いて挿入ガイド部材がそれぞれ形成された第２ガスバーナーと；上面に焼き網挿入孔が形成され、左右側面及び底面が開放された“コ”字状を有し、両側の前後縁部に挿入突起がそれぞれ形成されて、前記第１ガスバーナー及び第２ガスバーナーが回動して垂直方向に起立した状態で、前記挿入突起が前記挿入ガイド部材に挿入または分離されることによって、前記第１ガスバーナー及び第２ガスバーナーを垂直状態に維持するか、または水平状態に展開させる熱源ガイドと；底面が開放された形状に形成され、上面及び前方にそれぞれの開口が形成され、前記開口の外壁とヒンジで連結されて前記開口を開閉する第１ドア及び第２ドアが設置され、両側壁がヒンジにより内側に向かって折り畳み可能なように分割された形状に形成されたオーブンであって、前記オーブンは、その内部にグリルが設けられる、オーブンと；一定の高さの四方外壁を有し、上面が開口され、下部に火気案内孔が形成されて、前記火気案内孔の端部の一部が前記焼き網挿入孔に挿入されるように形成されたオーブン支持部であって、前記オーブン支持部は、その上に前記オーブンが載置される、オーブン支持部と；を含むことを特徴とするストーブ兼用ロースターによって達成される。
【考案の効果】
【０００９】
以上のような本考案によれば、第１ガスバーナー及び第２ガスバーナーを展開して垂直に起立させた状態では暖房用ストーブとして使用できるという利点があり、第１ガスバーナー及び第２ガスバーナーを水平に展開した状態では、各種食物を調理又は加熱することできるガスバーナーとして使用できるという利点があり、熱源ガイドを用いて第１ガスバーナー及び第２ガスバーナーの垂直起立状態を維持した状態では、焼き網を垂直に位置させ、焼き網に挟持された各種食物を焼くことができるという利点があり、焼き網を除去した後、オーブンを設置すると、オーブンの内部に設けられた焼き網に各種肉、ジャガイモ、サツマイモなどを載せて加熱して食べることができるという利点がある。結果的に、本考案に係るストーブ兼用ロースターは、分離及び折り畳みが可能であるので、携帯及び保管が容易であり、暖房用ストーブと共にロースターとして活用できるという効果がある。
【図面の簡単な説明】
【００１０】
【図１】本考案に係るストーブ兼用ロースターの組立状態を示した斜視図である。
【図２】図１による縦断面図である。
【図３】本考案に係る第１ガスバーナー、第２ガスバーナー及び熱源ガイドを示した分解斜視図である。
【図４】本考案に係る第１ガスバーナーと第２ガスバーナーを水平状態に展開してバーナーとして使用可能な状態を示した斜視図である。
【図５】本考案に係る第１ガスバーナーと第２ガスバーナーを垂直状態に起立させてストーブとして使用可能な状態を示した斜視図である。
【考案を実施するための形態】
【００１１】
以下では、添付の図面を参照して、本考案について詳細に説明する。
【００１２】
図１は、本考案に係るストーブ兼用ロースターの組立状態を示した斜視図であり、図２は、図１による縦断面図である。
【００１３】
前記図面に示したように、本考案に係るストーブ兼用ロースター１は、油受けガイド１０と、前記油受けガイド１０の両側とヒンジで連結された第１ガスバーナー３０及び第２ガスバーナー４０と、第１ガスバーナー３０及び第２ガスバーナー４０を垂直状態に起立させた状態で、第１及び第２ガスバーナー３０，４０の起立状態を維持させる熱源ガイド５０と、前記熱源ガイド５０の上面に載置されるオーブン６０と、オーブンの底面に位置するオーブン支持部７０とを備えている。
【００１４】
本考案に係る油受けガイド１０は、上面及び後方壁が開口された形状に形成される。そして、油受けガイド１０の内部には、上面が開口された箱形状を有し、油受けガイド１０の内部に収納可能なように形成された油受け１１が設けられる。
【００１５】
本考案に係る第１ガスバーナー３０及び第２ガスバーナー４０の熱源燃料としてはガスが使用され、通常のバーナーと同様の構成で形成されており、第１ガスバーナー３０及び第２ガスバーナー４０の１つの壁には、ガスの供給を干渉するコネクタ３１，４１が設置され、それを通じてガスが供給される。
【００１６】
前記のような第１ガスバーナー３０及び第２ガスバーナー４０は、油受けガイド１０と多数のヒンジ１２，１２ａによって連結され、したがって、第１ガスバーナー３０及び第２ガスバーナー４０は、使用者によって油受けガイド１０を中心に内側に回動して垂直状態に起立するか、または水平状態に展開されるように構成され、前記第１ガスバーナー３０及び第２ガスバーナー４０の上面で一定の距離を置いた一側内壁には、後述する挿入突起５２，５２ａと結合される挿入ガイド部材３２，４２がそれぞれ形成されている。ここで、未説明符号３３及び４３はガス調節ノブである。
【００１７】
本考案に係る熱源ガイド５０は、“コ”字状に形成され、上面には別途の焼き網を垂直方向に挿入できる焼き網挿入孔５１が形成されており、起立状態で左、右側面及び底面が開放された形状に形成され、両側の前後縁部の垂直方向には挿入突起５２，５２ａがそれぞれ形成されている。したがって、第１ガスバーナー３０及び第２ガスバーナー４０を垂直に起立した状態に維持することは、前記熱源ガイド５０に形成された挿入突起５２，５２ａが前記第１ガスバーナー３０及び第２ガスバーナー４０に形成された挿入ガイド部材３２，４２に挿入されることによって可能であり、次いで、熱源ガイド５０を持ち上げると、挿入突起５２，５２ａが挿入ガイド部材３２，４２から分離されることによって、第１ガスバーナー３０及び第２ガスバーナー４０を水平状態に回動展開させることができる。
【００１８】
一方、本考案に係るオーブン６０は、底面が開放された形状に形成され、上面及び前方にはそれぞれの開口６１，６１ａが形成されており、これらの開口６１，６１ａには、オーブン６０をなす外壁６５とヒンジ６２で連結されたドア６３，６３ａがそれぞれ回動可能に設置されており、オーブン６０をなす両側外壁６５は、分割板で形成されてヒンジ６６によって連結されているため、両側外壁６５は内側に向かって折り畳むことができる。
【００１９】
また、前記オーブン６０の底面にはオーブン支持部７０が設置される。前記オーブン支持部７０は、一定の高さの四方外壁７１を有し、上面が開口され、下部には火気案内孔７２が形成され、火気案内孔７２は、熱源ガイド５０の上面に形成された焼き網挿入孔５１に挿入された状態に組み立てられる構成を有し、オーブン支持部７０の内部の上部には、着脱可能なグリル６４が設けられている。
【００２０】
以下では、本考案に係るストーブ兼用ロースターの使用状態を説明する。
【００２１】
まず、暖房用ストーブとして使用するときには、熱源ガイド５０、オーブン６０及びオーブン支持部７０を分離させた後、図５に示したように、第１ガスバーナー３０及び第２ガスバーナー４０を垂直に起立させた状態で、安全網４５を設置すると、暖房用ストーブとして使用することができる。
【００２２】
本考案に係るストーブ兼用ロースターを、調理用具などを載置して加熱できるガスバーナーとして使用するときは、熱源ガイド５０、オーブン６０及びオーブン支持部７０を分離させた後、図４に示したように、第１ガスバーナー３０及び第２ガスバーナー４０を水平に展開した状態で、第１ガスバーナー３０及び第２ガスバーナー４０の上面に五徳８０を設置すると、各種食物を調理する調理用具を載置することによってバーナーとしての使用が可能になる。
【００２３】
本考案に係るストーブ兼用ロースターをロースターとして使用するときは、図３に示したように、第１ガスバーナー３０及び第２ガスバーナー４０を垂直状態に起立させた状態で、熱源ガイド５０に設置された挿入突起５２，５２ａを第１ガスバーナー３０及び第２ガスバーナー４０の上面に形成された挿入ガイド部材３２，４２に挿入することによって、第１ガスバーナー３０と第２ガスバーナー４０を垂直状態に対向するように固定させた後、熱源ガイド５０の上面に形成された焼き網挿入孔５１に各種食物が挟持された焼き網を縦方向に挿入すると、第１ガスバーナー３０及び第２ガスバーナー４０の火力によって焼き網（図示せず）に挟持された食物が焼かれ、このときに発生する油は、油受け１１に流れ落ちて溜まるようになる。したがって、このようにすることによって、ロースターとして使用することができる。
【００２４】
一方、本考案に係るストーブ兼用ロースターにオーブン６０を設置すると、各種肉、ジャガイモ、サツマイモなどを載せて加熱して食べることができるオーブンとしての使用が可能である。このときは、焼き網挿入孔５１に挿入された焼き網を除去し、オーブン支持部７０及びオーブン６０を設置すると、オーブン６０の内部に設けられたグリル６４に各種肉、ジャガイモ、サツマイモなどを載せ、ドア６３，６３ａを閉めると、第１ガスバーナー３０及び第２ガスバーナー４０の火力の影響から一定距離離隔した所に位置したオーブン６０は、第１ガスバーナー３０及び第２ガスバーナー４０の間接熱によってオーブンの機能が行われる。
【００２５】
以上のように構成された本考案に係るストーブ兼用ロースターは、野外及び室内で使用者の簡単な操作によって暖房用ストーブ及び各種食物を調理するバーナーに変形させて使用できると共に、各種食物を焼くロースター及び各種食物を加熱できるオーブンの機能を追加できるようにし、特に、分解組立が容易であるため、携帯及び保管が容易である。
【００２６】
以上のように本明細書及び特許請求の範囲で使用された用語や単語は、辞書的な意味に限定して解釈されてはならず、考案者は自分の考案を最善の方法で説明するために用語の概念を適切に定義できるという原則に基づき、本考案の技術的思想に符合する意味と概念として解釈されなければならない。
【００２７】
したがって、本明細書に記載された実施例と図面に示した構成は、本考案の最も好ましい一実施例に過ぎず、本考案の技術的思想をすべて代弁するものではないため、本出願時点においてこれらを代替できる様々な均等物と変形例があり得るということが理解されるべきである。
【図１】
0003211084.tif 000003
【図２】
0003211084.tif 000004
【図３】
0003211084.tif 000005
【図４】
0003211084.tif 000006
【図５】
0003211084.tif 000007